(57)【要約】【課題】ある時間内に複数回発生する現象の平均時間間隔及び所定時間内に生じる現象回数を計測するストップウオッチに関する。【解決手段】計測対象の現象が発生したときにオン動作させるノンロック式の第１スイッチＳＷ１　（第１ＳＷ）と、第１ＳＷのオン動作回数をカウントするカウンタ３と、第１ＳＷの最初のオン動作から最後のオン動作までの時間を計測するタイマー４と、カウンタでカウントした第１ＳＷのオン動作回数及びタイマーで計測した時間を記憶するメモリ５と、カウンタのカウント回数及びタイマーの計測時間とから第１ＳＷのオン動作の平均時間間隔を演算すると共に、所定時間内に発生する現象回数を演算する演算回路１と、第１ＳＷの最後のオン動作を認識させかつ演算回路１で演算された平均時間間隔と所定時間内に発生する現象回数とを表示部６に表示させる第２スイッチＳＷ２　とを備えている。【選択図】　　　図１
2004020483.tif 000002
【特許請求の範囲】
【請求項１】
計測対象の現象が発生したときにオン動作せしめる第１のスイッチと、
該第１のスイッチのオン動作の回数をカウントするカウンタと、
前記第１のスイッチの最初のオン動作から最後のオン動作までの時間を計測するタイマーと、
前記カウンタによってカウントされた前記第１のスイッチのオン動作の前記回数と、前記タイマーによって計測された前記第１のスイッチの最初のオン動作から最後のオン動作までの時間とを記憶するデータ保存メモリと、
前記カウンタによってカウントされた前記第１のスイッチのオン動作の前記回数と前記タイマーによって計測された前記第１のスイッチの最初のオン動作から最後のオン動作までの時間とから、前記第１のスイッチのオン動作の平均時間間隔を演算すると共に、該演算によって求められた平均時間間隔から予め定められた所定時間内に発生する前記現象の回数を演算する演算回路と、
前記第１のスイッチの最後のオン動作を認識させると共に、前記演算回路によって演算された前記平均時間間隔と前記所定時間内に発生する前記現象の回数とを切換えて表示部に表示させる第２のスイッチとを備えたストップウオッチ。
【請求項２】
前記平均時間間隔と前記所定時間内に発生する前記現象の回数とを前記表示部に同時に表示させるようにした請求項１に記載のストップウオッチ。
【発明の詳細な説明】
【０００１】
【発明の属する技術分野】
本発明は、ある時間内に複数回発生する現象の平均時間間隔と所定時間内に生じる前記現象の回数を計測し表示するストップウオッチに関するものである。
【０００２】
【従来の技術】
従来、例えば病院等で患者の静脈を通して、体内に生理食塩液，血液，栄養剤，薬剤などの点滴を行う場合、この点滴の時間間隔又は所定時間の点滴回数、例えば１分間内の点滴回数を、指定された時間間隔又は点滴回数に合わせるように時計を見ながら調整している。
また、脈拍回数の測定の場合や、音楽のテンポを正確に指示するメトロノームの調整などにおいても、点滴の間隔測定と同様に時計を見ながら所定時間内の回数を数え、指定される回数になるように調整している。
【０００３】
【発明が解決しようとする課題】
しかしながら、例えば点滴の場合は、点滴作業を行う看護婦等の担当者は、時計を見ながら点滴の回数を数えて点滴間隔の調整することになるが、時計の針又はディジタル時計のときは経過数値の監視と点滴回数を数えるという両方の作業をしなければならない。そのため、時計の進行状態を見るときに数を数えることの意識が散漫になり、可成りの神経を使っていても間違うことが生じ、測定のやり直しを行うことがあり、正確な調整を行い得ない場合がある。このことは、脈拍の測定、メトロノームの正確な調整などにおいても同様な問題が生じていた。また、従来のストップウオッチは、スタートからストップまでの１回だけの時間を測定するものであって、前述したような一定のテンポを持った現象の時間間隔を計測者の簡単な操作によって測定するものはなかった。
【０００４】
【課題を解決するための手段】
本発明によるストップウオッチは、計測対象の現象が発生したときにオン動作せしめる第１のスイッチと、該第１のスイッチのオン動作の回数をカウントするカウンタと、前記第１のスイッチの最初のオン動作から最後のオン動作までの時間を計測するタイマーと、前記カウンタによってカウントされた前記第１のスイッチのオン動作の前記回数と、前記タイマーによって計測された前記第１のスイッチの最初のオン動作から最後のオン動作までの時間とを記憶するデータ保存メモリと、前記カウンタによってカウントされた前記第１のスイッチのオン動作の前記回数と前記タイマーによって計測された前記第１のスイッチの最初のオン動作から最後のオン動作までの時間とから、前記第１のスイッチのオン動作の平均時間間隔を演算すると共に、該演算によって求められた平均時間間隔から予め定められた所定時間内に発生する前記現象の回数を演算する演算回路と、前記第１のスイッチの最後のオン動作を認識させると共に、前記演算回路によって演算された前記平均時間間隔と前記所定時間内に発生する前記現象の回数とを切換えて表示部に表示させる第２のスイッチとを備えたものである。
【０００５】
【発明の実施の形態】
図１は本発明の一実施例を示すブロック回路図であり、図２は当該ストップウオッチの外観の一例を示す斜視図である。図１，図２において、ＳＷ１　は第１のスイッチであり、前述した各種の現象の発生する毎に入力するノンロック式のスイッチである。また、このスイッチＳＷ１　は、測定を開始するスタートスイッチを兼用している。ＳＷ２　は第２のスイッチであり、計測の終了と第１の演算結果の表示を指示し、かつ第２の演算結果の表示を切替指示をするノンロック式のスイッチである。１は演算及びシーケンスコントローラ（以下演算・制御部という）であり、平均時間間隔或いは所定時間内における動作回数等の演算を行うと共に、ストップウオッチ全体の動作を制御するものである。
【０００６】
２は入力インタフェースであり、スイッチＳＷ１　，ＳＷ２　の動作情報を演算・制御部１に入力するものである。３はカウンタであり、ある現象の数をカウントするための第１のスイッチＳＷ１　の動作情報である動作パルスＳ１　と、計測の終了を指示する第２のスイッチＳＷ２　の動作情報であるリセットパルスＳ２　により制御されるものであ。即ち、例えば第１のスイッチＳＷ１　の最初のオン動作を除いて、オン動作を５回行った後に第２のスイッチＳＷ２　がオン動作を行なった場合は、カウンタ３は５回をカウントすることになる。ただし、第１のスイッチＳＷ１　のオン動作をすべてカウントして、演算の際にカウント数を１つ減算するようにしてもよい。
【０００７】
４はタイマーであり、第１のスイッチＳＷ１　の最初のオン動作であるスタートパルスＳ３　から、第１のスイッチＳＷ１　の最後の動作までの時間を測定するものである。即ち、例えば第１のスイッチＳＷ１　がオン動作を５回行った後に第２のスイッチＳＷ２　がオン動作を行ないリセットパルスＳ４　が入力された場合は、第１のスイッチＳＷ１　の最初のオン動作のスタートパルスＳ３　の入力時点から、第１のスイッチＳＷ１　の５回目のオン動作の信号がストップ信号Ｓ５　として入力される時点までの時間が最終的に計測される。
【０００８】
５はデータ保存メモリであり、前述のカウンタ３により数えられた第１のスイッチＳＷ１　の動作回数を記憶すると共に、タイマー４によって計測された第１のスイッチＳＷ１　の最初のオン動作から最後のオン動作までの時間が記憶される。この場合、第１のスイッチＳＷ１　の動作が何回で終了するか決まっていないため、第１のスイッチＳＷ１　の最初のオン動作時点から、２回目のオン動作時点までの時間（Ｔ１　）を記憶し、その後３回目のオン動作が行われたときには、最初のオン動作時点から３回目のオン動作時点までの時間（Ｔ２　）に更新して記憶されるものであり、第２のスイッチＳＷ２　がオン動作するまでの間は、第１のスイッチＳＷ１　のオン動作する毎に計測データは更新される。
【０００９】
６は液晶などの表示部であり、演算・制御部１で演算されたデータなどを表示するものである。７は液晶などの表示部６のドライブインタフェースである。
なお、第１のスイッチＳＷ１　及び第２のスイッチＳＷ２　は、ノンロック式の押ボタンスイッチが適しているものであり、スイッチ動作が適切に行なわれたときにクリック音などが出るようにしてあれば、扱い者の操作が確実に行い得ることができる。また、図１のブロック回路図における白抜きの太い矢印はデータを示し、線状の矢印は信号を示している。また、図２の斜視図に示した８は電源スイッチである。
【００１０】
次に本発明の一実施例を示す図１の動作を、図３に示したフローチャートと共に説明する。なお、この実施例では、ストップウオッチをリセットするスイッチを、前記した第１のスイッチＳＷ１　で兼用して行うようにしている。
先ず図示していない電源スイッチを入れてスタート状態Ｆ１とする。通常は電源入力によりカウンタ３，タイマー４はクリアＦ２され初期状態となり、表示部６には、例えば「測定開始」Ｆ３と表示される。この状態で扱い者がある現象の発生を視覚，聴覚，触覚などを通じて認識して、第１のスイッチＳＷ１　を指でオン動作させると、第１のスイッチＳＷ１　のオン動作の判定Ｆ４がＹｅｓとなりタイマー４がスタートＦ５する。
【００１１】
扱者がある現象の２回目の発生を視覚，聴覚，触覚などを通じて認識して、第１のスイッチＳＷ１　をオン動作させることにより、第１のスイッチＳＷ１　のオン動作の判定Ｆ６はＹｅｓとなり、カウンタ３に１を加算してカウントＦ７を１とすると共に、タイマー４により計測されたその間の時間をそれぞれデータ保存メモリ５に記憶（タイマーセーブ）Ｆ８させる。この状態、即ち第１のスイッチＳＷ１　が最初のオン動作Ｆ４と２回目のオン動作Ｆ６との状態において、第２のスイッチＳＷ２　をオン動作させると、第２のスイッチＳＷ２　のオン動作の判定Ｆ９がＹｅｓとなり、タイマー４をストップＦ１０させる。
【００１２】
タイマー４のストップＦ１０により、データ保存メモリ５のデータにより演算・制御部１は演算Ｆ１１を行う。即ち、タイマー４により計測された時間Ｔ１　をカウンタ３でカウントされた１で除算Ｆ１１し、その演算結果をデータ１としてデータ保存メモリ５に記憶Ｆ１２する。例えば計測時間が３秒であれば、第１のスイッチＳＷ１　の最初のオン動作と２回目のオン動作との時間間隔は３秒となる。
次に、この時間間隔で発生する現象が、例えば１分間において何回発生するかを求める場合は、演算・制御部１で６０秒を３秒（データ１）で除算の演算Ｆ１３を行ない、演算結果の２０（回）をデータ２として記憶Ｆ１４する。前述の各演算とその演算データを記憶させた後に、表示部６にデータ１（３秒）を表示Ｆ１５させる。
【００１３】
この状態で、第２のスイッチＳＷ２　を再度オン動作させると、第２のスイッチＳＷ２　のオン動作の判定Ｆ１６がＹｅｓとなり、表示部６の表示がデータ２の２０（回）の表示に切換えるＦ１７。この表示部６の表示は、第２のスイッチＳＷ２　のオン動作を行う度ごとに切替わるようにしてある。
計測結果の読取りを行った後、リセット状態にする場合は、第１のスイッチＳＷ１　をオン動作させることにより、第１のスイッチＳＷ１　をオン動作の判定Ｆ１８がＹｅｓとなり、スタートＦ１の状態、即ち、カウンタ３，タイマー４をクリアして、計測開始状態とする。なお、第１のスイッチＳＷ１　をリセットスイッチに利用しないで、他にリセットスイッチを設けてよい。
【００１４】
前述した動作の説明は、第１のスイッチＳＷ１　の最初のオン動作と２回目のオン動作の時間間隔と、この時間間隔の場合における所定時間内の発生回数を例にして説明したものであるが、第１のスイッチＳＷ１　のオン動作が多数回であっても同様である。
例えば、第１のスイッチＳＷ１　の最初のオン動作の後、ある現象の発生毎に第１のスイッチＳＷ１　を指で操作しオン動作を５回行わせた場合において、最初のオン動作と２回目との間が２．４７秒、２回目と３回目との間が２．４８秒、３回目と４回目との間が２．５３秒、４回目と５回目との間が２．５０秒、５回目と６回目との間が２．５２秒の計測データであったときは、カウンタ３によるカウントメモリＦ７は５となり、タイマー４によるタイムメモリＦ８は１２．５０秒となる。従って、演算・制御部１による演算結果は、データ１の平均時間間隔は２．５０秒（１２．５０／５）となり、１分間（６０秒間）での発生回数であるデータ２は、２４回（６０／２．５）となる。従って、表示部６には平均時間間隔２．５秒と１分間の発生回数２４回との表示を、必要に応じて切換えて表示させることができる。
【００１５】
本発明の前述した実施例においては、ノンロック式の押ボタンスイッチの第１のスイッチＳＷ１　と第２のスイッチＳＷ２　を用い、扱い者が測定対象の現象を認識する毎に第１のスイッチＳＷ１　をオン動作させ、適当な回数（計測回数を数える必要はない。）による計測後に、第２のスイッチＳＷ２　のオン動作の操作により、当該第１のスイッチＳＷ１　のオン動作に対応する現象相互間の平均時間間隔と、この平均時間間隔に基づいて予め設定した所定時間内に発生が予測される回数とを自動的に演算し、必要に応じてその平均時間間隔と回数を表示部６に交互に表示させることができる。
【００１６】
また、第１のスイッチＳＷ１　のオン動作に対応する計測現象発生の平均時間間隔と、所定時間内に発生が予測される回数とを、表示部６に１列又は２列などにより同時に表示させることもできる。
更に、本発明の図面に示した実施例は、小型の箱型のストップウオッチ単体として説明したが、本発明のストップウオッチをデジタル表示の通常の腕時計に組み込むことも可能であるし、従来のデジタル表示のストップウオッチなどに組み込むことも可能である。
【００１７】
【発明の効果】
以上詳細に説明したように、本発明によるストップウオッチは、ほぼ規則的に発生する繰り返しの現象の時間間隔と、所定時間内にその現象が発生する回数とを、扱い者がその現象を認識したときスイッチをオン動作させるだけで、正確に測定することができるものであり、例えば、患者への点滴をする場合の時間間隔の調整や脈拍の測定などの、現象の発生回数と経過時間との両者を同時に監視する従来の測定方法に比較して、極めて正確に測定することができると共に、測定者の特に精神的負担を大幅に軽減することができる効果を奏するものである。
【図面の簡単な説明】
【図１】本発明のストップウオッチの一実施例を示すブロック回路図である。
【図２】本発明のストップウオッチの外観の一例を示す斜視図である。
【図３】本発明のストップウオッチの動作の一実施例を示すフローチャートである。
【符号の説明】
１　演算及びシーケンスコントローラ（演算・制御部）
２　入力インタフェース
３　カウンタ
４　タイマー
５　データ保存メモリ
６　表示部
７　表示部のドライブインタフェース
８　電源スイッチ
【図１】
2004020483.tif 000003
【図２】
2004020483.tif 000004
【図３】
2004020483.tif 000005